(57)【要約】【課題】複雑な装置、システムを用いることなく不正行為を検出するとともに、装飾・演出表示を併せて行うことにより不正報知を効果的にカモフラージュし、不正行為者に不正行為を検知した事実を気づかれることなくホールスタッフに当該事実を報知し、不正行為者を店外への逃亡前に確実に取り押さえること。【解決手段】  遊技機１において、図示しない不正を検知する検知手段と、前記検知手段から出力があると報知指令を出力する判定手段と、報知指令に基づき正面の遊技者からは目視できない位置および報知態様で不正報知する報知手段２と、装飾・演出の表示を行う表示手段２０を備え、前記表示手段が、遊技者から見える第１の表示面２１によって構成され、前記報知手段が、前記第１の表示面と隣り合わせで形成された前記不正報知指令に基づき不正報知光を放射することにより不正報知が行われる遊技者から見えない第２の表示面２２によって構成される遊技機。【選択図】図１
2010075350.tif 000002
【特許請求の範囲】
【請求項１】
遊技機において、
不正を検知する検知手段と、
前記検知手段から出力があると不正報知指令を出力する判定手段と、
前記不正報知指令に基づき正面の遊技者からは目視できない位置および報知態様で不正報知する報知手段と、
装飾・演出の表示を行う表示手段を備え、
前記表示手段が、遊技者から見える第１の表示面によって構成され、
前記報知手段が、前記第１の表示面と隣り合わせで形成された前記不正報知指令に基づき不正報知光を放射することにより不正報知が行われる遊技者から見えない第２の表示面によって構成される
ことを特徴とする遊技機。
【請求項２】
請求項１において、
前記第１の表示面と前記第２の表示面とが、遊技機表面に対して角度の異なる面によって構成されている
ことを特徴とする遊技機。
【請求項３】
請求項２において、
前記第２の表示面が遊技機表面に対して略垂直となる略垂直面で構成されるとともに、前記第１の表示面が遊技機表面に対して傾斜した傾斜面で構成されている
ことを特徴とする遊技機。
【請求項４】
請求項１ないし請求項３のいずれかにおいて、
隣り合わせで構成される前記第１の表示面と前記第２の表示面とが繰り返し列設されている
ことを特徴とする遊技機。
【請求項５】
請求項４において、
前記報知手段の表示部が、液晶表示部によって構成されている
ことを特徴とする遊技機。
【請求項６】
請求項１ないし請求項５のいずれかにおいて、
前記表示部が遊技機前面に対して左右端部のいずれかもしくは両方に配設されている
ことを特徴とする遊技。
【請求項７】
請求項１ないし請求項６のいずれかにおいて、
前記報知手段に対する別系統の電源またはおよび別系統の出力手段を備えた
ことを特徴とする遊技機。
【発明の詳細な説明】
【技術分野】
【０００１】
本発明は、遊技機において、不正を検知する検知手段と、前記検知手段から出力があると不正報知指令を出力する判定手段と、前記不正報知指令に基づき正面の遊技者からは目視できない位置および報知態様で不正報知する報知手段と、装飾・演出の表示を行う表示手段を備え、前記表示手段が、遊技者から見える第１の表示面によって構成され、前記報知手段が、前記第１の表示面と隣り合わせで形成された前記不正報知指令に基づき不正報知が行われる遊技者から見えない第２の表示面によって構成される遊技機に関するものである。
【背景技術】
【０００２】
従来より、一部の遊技者により、磁石や電波を用いたり、または、盤面を叩く、ワイヤーを用いるといった様々な不正行為が行われ、これを取り締まる防犯システムの導入がホール運営上重要な問題となっていた。
【０００３】
このような事態に鑑み、従来の第１の遊技機においては、図１２に示されるように、遊技機本体に配設されている赤外線送信装置Ｔから、遊技機の上方に配設された赤外線受信装置Ｒに不正を検知したパルスパターンが伝送されると、警告灯Ｌを点灯させることにより、不正行為が行われていることを報知するものであった。
【特許文献１】特開２００１−０００７１４
【０００４】
また、従来の第２の遊技機においては、図１３に示されるように、各遊技機本体に配設された検出ユニットＳによって検出された検出情報を、赤外線通信ユニットＩＵおよび島中継ユニットＲＵを介してパーソナルコンピュータＰＣによって集中管理するものであった。
【特許文献２】特開２００２−２１０１８５
【発明の開示】
【発明が解決しようとする課題】
【０００５】
しかしながら、上記従来の第１の遊技機においては、図１２に示されるように、前記赤外線送信装置Ｔから前記赤外線受信装置Ｒに不正を検知したことを示すパルスパターンが伝送された際に、遊技機の上方に配設された警告灯Ｌを点灯させるものであるため、不正を検出したという事実を、ホールスタッフに報知するのみならず、近くの遊技者やその遊技機において遊技をしている遊技者本人にもその事実を知られてしまうものであった。
すなわち、このことは不正行為を行った遊技者本人に不正が発覚したことを知らしめることになり、その後、当該遊技者が不正行為を継続することを防止する抑止力の効果はあったとしても、逆に、かかる報知行為が当該遊技者の店外への逃亡の契機ともなり、不正行為を行った遊技者を確実に取り押さえることができないという問題があった。
【０００６】
また、上記従来の第２の遊技機においては、図１３に示されるように、各パチンコにおける検出情報を前記パーソナルコンピュータで集中管理するため、前記赤外線通信ユニットＩＵおよび島中継ユニットＲＵ等の情報の伝送を実現する通信用の部材を新たに別途設けることが必要であり、このことは部品点数の増加につながるとともに、各パチンコ機、各部材との間の互換性の問題や、複雑なシステムを導入しなければならないという問題につながるものであった。さらには、かかるシステムにおいては、当然に集中管理室に人員を割くことが前提となっており、集中管理室に担当者が不在の場合には、前記システムが有名無実化するとともに、また、担当者が集中管理室に駐在していた場合であっても、担当者からホールスタッフへの連絡が遅れるようなことがあっては、せっかく不正行為を検出していたとしてもこれを有効に取り締まることができないという問題があった。
【０００７】
そこで本発明者らは、遊技機において、不正を検知する検知手段と、前記検知手段から出力があると不正報知指令を出力する判定手段と、前記不正報知指令に基づき正面の遊技者に気付かれないように報知するという本発明の技術的思想に着眼して、さらに研究開発を重ねた結果、複雑な装置、システムを用いることなく不正行為を検出するとともに、装飾・演出のための表示を活用してカモフラージュし、不正行為者に不正行為を検知した事実を気づかれることなくホールスタッフに当該事実を報知することができ、その結果、不正行為者を店外への逃亡前に確実に取り押さえることができるという目的を達成する本発明に到達した。
【課題を解決するための手段】
【０００８】
本発明（請求項１に記載の第１発明）の遊技機は、
遊技機において、
不正を検知する検知手段と、
前記検知手段から出力があると不正報知指令を出力する判定手段と、
前記不正報知指令に基づき正面の遊技者からは目視できない位置および報知態様で不正報知する報知手段と、
装飾・演出の表示を行う表示手段を備え、
前記表示手段が、遊技者から見える第１の表示面によって構成され、
前記報知手段が、前記第１の表示面と隣り合わせで形成された前記不正報知指令に基づき不正報知光を放射することにより不正報知が行われる遊技者から見えない第２の表示面によって構成される
ものである。
【０００９】
本発明（請求項２に記載の第２発明）の遊技機は、
前記第１発明において
前記第１の表示面と前記第２の表示面とが、遊技機表面に対して角度の異なる面によって構成されている
ものである。
【００１０】
本発明（請求項３に記載の第３発明）の遊技機は、
前記第２発明において、
前記第２の表示面が遊技機表面に対して略垂直となる略垂直面で構成されるとともに、前記第１の表示面が遊技機表面に対して傾斜した傾斜面で構成されている
ものである。
【００１１】
本発明（請求項４に記載の第４発明）の遊技機は、
前記第１発明ないし第３発明のいずれかにおいて、
隣り合わせで構成される前記第１の表示面と前記第２の表示面とが繰り返し列設されている
ものである。
【００１２】
本発明（請求項５に記載の第５発明）の遊技機は、
前記第４発明において、
前記報知手段の表示部が、液晶表示部によって構成されている
ものである。
【００１３】
本発明（請求項６に記載の第６発明）の遊技機は、
前記第１発明ないし第５発明のいずれかにおいて、
前記表示部が遊技機前面に対して左右端部のいずれかもしくは両方に配設されている
ものである。
【００１４】
本発明（請求項７に記載の第７発明）の遊技機は、
前記第１発明ないし前記第６発明のいずれかにおいて、
前記報知手段に対する別系統の電源またはおよび別系統の出力手段を備えた
ものである。
【発明の効果】
【００１５】
上記構成より成る第１発明の遊技機は、遊技機において、不正を検知する検知手段と、前記検知手段から出力があると不正報知指令を出力する判定手段と、前記不正報知指令に基づき正面の遊技者からは目視できない位置および報知態様で不正報知する報知手段と、装飾・演出の表示を行う表示手段を備え、前記表示手段が、遊技者から見える第１の表示面によって構成され、前記報知手段が、前記第１の表示面と隣り合わせで形成された前記不正報知指令に基づき不正報知光を放射することにより不正報知が行われる遊技者から見えない第２の表示面によって構成されるので、複雑な装置、システムを用いることなく不正行為を検出するとともに、前記第２の表示面が装飾・演出表示を行っていることにより前記第１の表示面の不正報知を効果的にカモフラージュでき、不正行為者に不正行為を検知した事実を気づかれることなくホールスタッフに当該事実を報知することができるため、その結果、不正行為者を店外への逃亡前に確実に取り押さえることができるという効果を奏する。
【００１６】
上記構成より成る第２発明の遊技機は、前記第１発明において前記第１の表示面と前記第２の表示面とが、遊技機表面に対して角度の異なる面によって構成されているので、不正報知を行う第２の表示面は遊技者から視認されることなく、装飾・演出表示を行う第１の表示面のみ遊技者によって視認可能とできるため、前記第２の表示面の不正報知を効果的にカモフラージュできるとともに、不正行為者に不正行為を検知した事実を気づかれることなくホールスタッフに当該事実を報知することができ、その結果、不正行為者を店外への逃亡前に確実に取り押さえることができるという効果を奏する。
【００１７】
上記構成より成る第３発明の遊技機は、前記第２発明において、前記第２の表示面が遊技機表面に対して略垂直となる略垂直面で構成されるとともに、前記第１の表示面が遊技機表面に対して傾斜した傾斜面で構成されているので、遊技機表面に対して略垂直に形成され、当該略垂直面で不正報知を行う第２の表示面は遊技者から視認されることなく、一方、遊技機表面に対して傾斜した傾斜面で構成され装飾・演出表示を行う第１の表示面のみ遊技者によって視認可能とできるため、前記第２の表示面の不正報知を効果的にカモフラージュできるとともに、不正行為者に不正行為を検知した事実を気づかれることなくホールスタッフに当該事実を報知することができ、その結果、不正行為者を店外への逃亡前に確実に取り押さえることができるという効果を奏する。
【００１８】
上記構成より成る第４発明の遊技機は、前記第１発明ないし第３発明のいずれかにおいて、隣り合わせで構成される前記第１の表示面と前記第２の表示面とが繰り返し列設されているので、装飾・演出表示面の増加により、遊技者もしくは不正行為者に対して装飾・演出表示であることをより印象付けることができ、さらに効果的にカモフラージュできるとともに、不正報知面の増加により、通路を巡回するホールスタッフが遠方からでも容易に不正報知を認識することが可能となるという効果を奏する。
【００１９】
上記構成より成る第５発明の遊技機は、前記報知手段の表示部が前記液晶表示部によって構成されているので、複雑で任意の表示態様を可能にするという効果を奏する。
【００２０】
上記構成より成る第６発明の遊技機は、前記第１発明ないし第５発明のいずれかにおいて、前記表示部が遊技機前面に対して左右端部のいずれかもしくは両方に配設されているので、遊技機に対して正面に位置する不正行為者からは不正報知を把握することが困難であるとともに、一方、遊技機の側方、すなわち、通路を巡回するホールスタッフの方からは容易に不正報知を認識することが可能となるという効果を奏する。
【００２１】
上記構成より成る第７発明の遊技機は、前記第１発明ないし前記第６発明のいずれかにおいて、前記報知手段に対する別系統の電源またはおよび別系統の出力手段を備えたので、仮に、不正行為者があらかじめ主電源や出力装置等を切断・破損等させた場合にも、通路を巡回するホールスタッフに不正を検知した事実を報知することが可能となり、その結果、あらかじめ対策を講じて万全であると信じ油断している不正行為者を店外への逃亡前に確実に取り押さえることができるという効果を奏する。
【発明を実施するための最良の形態】
【００２２】
以下本発明の最良の実施の形態につき実施例に基づき、図面を用いて説明する。
【実施例１】
【００２３】
本第１実施例の遊技機は、図１および図２に示されるように、遊技機１において、図示しない、不正を検知する検知手段と、前記検知手段から出力があると不正報知指令を出力する判定手段と、遊技盤面内に配設され、遊技情報の表示を行う第１の表示面によって構成された表示手段２０と、前記不正報知指令に基づき不正報知光を放射することにより不正報知する正面の遊技者から見えない第２の表示面によって構成される報知手段２を備えているものである。
また、前記不正検知手段および判定手段は、振動センサにより所定の振幅より大きな振動を検知したり、ピアノ線その他の異物が遊技機本体内に挿入されたことを検知したり、遊技球の通過時間の変化を検知したり、必要に応じて、その他の検知手段および方法によって検知した出力に基づき、不正判定を行い、不正と判定した時には不正指令を出力するものである。
【００２４】
前記遊技機１の前面枠３には、図１および図２に示されるように、その右側下方に遊技者が遊技球を打ち出すための操作ハンドル３３が配設され、また、その遊技領域を覆うとともに、遊技者が打ち出した遊技球の行方を追うための、すなわち、遊技状態を視認可能とするためのガラス窓４が配設されている。
また、前記前面枠３の盤面内の上端左コーナー部には、各種の情報を表示する表示手段２０と報知手段２を構成する表示部２００が配設されている。
【００２５】
前記表示部２００は、図１および図２に示すように、盤面に対して傾斜している前記第１の表示面を構成する複数の傾斜液晶面２１と、盤面に対して直交する前記第２の表示面を構成する複数の垂直液晶面２２とから成る。
すなわち、前記表示部２００は、鋸歯状に配設された複数の液晶板より成る液晶表示装置によって構成されている。
【００２６】
前記表示手段２０は、図１に示されるように、遊技盤面に対して傾斜して配設された第１の表示面を構成する複数の傾斜面２１によって構成され、大当たり回数、小当たり回数、確変回数その他の情報を表示するものである。
前記報知手段２は、図１に示されるように、遊技盤面に対して垂直に配設された第２の表示面を構成する複数の垂直面２２によって構成され、不正行為が行われていることを不正報知光によって表示するものである。
【００２７】
前記報知手段２を構成する前記第２の表示面２２には、不正行為が行われていない通常状態においては、青色表示させるとともに、図示しない前記検知手段によって遊技者による何らかの不正行為が検出され、前記判定手段によって不正行為が判定され、不正報知指令が出力された場合には、赤色表示させ、不正行為があったことを報知する構成となっている。
【００２８】
以下上記構成より成る本第１実施例の遊技機の作用・効果について説明する。
【００２９】
上記構成より成る本第１実施例の遊技機１において、不正行為を試みる遊技者が、何らかの不正行為を現に行い、図示しない検知手段により当該行為が検知されると、当該検知手段の出力に基づき前記判定手段が不正行為があったことを判定し、報知手段２に対して不正報知指令を出す。かかる不正報知指令に従って、前記報知手段２は、その前記第２の表示面２２に通常状態を示す青色表示から赤色表示に切り替え、店内を巡回するホールスタッフに報知するものである。
【００３０】
上記作用を奏する第１実施例の遊技機は、ほとんどの遊技機においてその報知手段２の前記第２の表示面２２に青色表示が行われている中で、不正行為が行われている遊技機の報知手段２の前記第２の表示面２２に表示された赤色表示が浮き彫りとなり、店内を巡回するホールスタッフが、複数台の遊技機が並んで配設されている中から瞬時に不正行為が行われているもしくはすでに行われた台を把握することが可能となるという効果を奏する。
【００３１】
また、第１実施例の遊技機は、前記報知手段２が、遊技盤面内の上端左コーナー部の表示部に配設され、前記第２の表示面２２が遊技盤面に対して略垂直に形成され、当該略垂直面において不正表示を行うことにより不正報知を行うものであるため、遊技盤に対して正面に位置する遊技者からはちょうど当該第２の表示面２２が死角となり、当該第２の表示面２２を直接視認することができず、不正行為者に不正行為を検知した事実を気づかれることなくホールスタッフに当該事実を報知することができ、その結果、不正行為者を店外への逃亡前に確実に取り押さえることができるという効果を奏する。
【００３２】
さらに、第１実施例の遊技機は、上述したように、前記第１の表示面２１において大当たり回数、小当たり回数、確変回数その他の情報の表示が行われるため、仮に当該第２の表示面２２が不正行為者に視認されることがあったとしても、当該第２の表示面２２も遊技情報用のものであると誤認させることができ、視認されることがない場合を含めて、当該第２の表示面２２による不正報知を有効的にカモフラージュできるという効果を奏するものである。
【実施例２】
【００３３】
本第２実施例の遊技機は、図３ないし図７に示されるように、前記前面枠３の上端部には、前方方向へ突出形成されている突出形成部３０が配設され、その両側側方、すなわち、遊技機表面の左右端部には、中央方向に向かって緩やかに傾斜した傾斜部３１、３２が配設されており、当該傾斜部３１に報知手段等を配設する点が、上述の第１実施例との主な相違点であり、以下相違点を中心に説明する。
【００３４】
前記傾斜部３１は、図３においてその要部を示すように、前記傾斜部３１の傾斜面３１０の一部には、報知手段２と、装飾用もしくは演出用その他必要に応じて光を点灯または情報を表示等できる表示部３１１が配設されている。
【００３５】
前記報知手段２は、図３および図４に示されるように、遊技機表面に対して垂直な垂直面で構成される第２の表示面２２と、遊技機表面に対して傾斜した傾斜面で構成される第１の表示面２１とから成り、前記第１の表示面２１および第２の表示面２２はともに透明なクリアプレートによって構成されている。
また、前記第２の表示面２２内方には、白色光を放射する通常時点灯用の白色光ＬＥＤ２３と、不正行為時に赤色光を放射する不正時点灯用の赤色光ＬＥＤ２４とが配設されており、前記第１の表示面２１内方には、遊技状態等に連動して点灯される装飾・演出等用のＬＥＤ２５が複数個配設されている。
【００３６】
前記報知手段２の前記第２の表示面２２には、図９において示すフローチャートの手順に従って、通常状態においては、白色光を放射させるとともに、図示しない前記検知手段によって遊技者による何らかの不正行為が検出され、前記判定手段によって不正行為判定され、報知指令が出力された場合には、赤色光を放射させ、不正行為があったことを報知する構成となっている。
【００３７】
以下上記構成より成る本第２実施例の遊技機の作用・効果について説明する。
【００３８】
上記構成より成る本第２実施例の遊技機１において、不正行為を試みる遊技者が、何らかの不正行為を現に行い、図示しない検知手段により当該行為が検知されると、当該検知手段の出力情報に基づき前記判定手段が不正行為があったことを判定し、報知手段２に対して不正報知指令を出す。かかる不正報知指令に従って、前記報知手段２は、その前記第２の表示面２２に通常状態を示す白色光から切り替え赤色光を放射させるものである。
【００３９】
上記作用を奏する第２実施例の遊技機は、ほとんどの遊技機においてその報知手段２の前記第２の表示面２２に白色光が点灯している中で、不正行為が行われている遊技機の報知手段２の前記第２の表示面２２に表示された赤色光の放射が浮き彫りとなり、店内を巡回するホールスタッフが、複数台の遊技機が並んで配設されている中から遠方からでも瞬時に不正行為が行われている台を把握することが可能となるという効果を奏する。
【００４０】
また、第２実施例の遊技機は、前記報知手段２が、遊技機表面の左右端部の傾斜部３１に配設され、前記第２の表示面が遊技機表面に対して略垂直に形成され、当該略垂直面で不正報知を行うものであるため、遊技機に対して正面に位置する遊技者からはちょうど当該第２の表示面が死角となり、当該第２の表示面２２を直接視認することができず、不正行為者に不正行為を検知した事実を気づかれることなくホールスタッフに当該事実を報知することができ、その結果、不正行為者を店外への逃亡前に確実に取り押さえることができるという効果を奏する。
【００４１】
さらに、第２実施例の遊技機は、上述したように、前記第１の表示面２１において前記複数のＬＥＤ２５により遊技状態に応じた装飾・演出用の点灯表示が行われるため、仮に、その隣に配設され不正報知を行う前記第２の表示面２２が不正行為者に視認されることがあったとしても、当該第２の表示面２２も装飾・演出用の表示を行う前記第１の表示面２１と関連するものであると誤認させることができ、視認されることがない場合を含めて、当該第２の表示面２２による不正報知を有効的にカモフラージュできるという効果を奏するものである。
【実施例３】
【００４２】
本第３実施例の遊技機は、図８（Ａ）ないし（Ｃ）に示されるように、前記第１の表示面２１と前記第２の表示面２２とを繰り返し列設した液晶を前面枠３の傾斜部３１に配設する点が、上述の第１実施例との主な相違点であり、以下相違点を中心に説明する。
【００４３】
本第３実施例の遊技機１は、図８（Ａ）ないし（Ｃ）に示すように、上述の第２実施例と同様に、前面枠３の上方に突出形成された突出部３０と、その側方に形成された傾斜部３１が配設されており、当該傾斜部３１の傾斜面３１０に、複数組の第１の表示面２１および第２の表示面２２が配設されているものである。
【００４４】
なお、前記第１の表示面２１、第２の表示面２２は、鋸歯状に配設された複数の液晶板より成る液晶表示装置によって構成される。
表示手段２０を構成する第１の表示面２１は、複数の液晶板によって構成したので、制御ユニットからの制御指令に応じて装飾および演出として動画表示を可能にするものである。
報知手段を構成する第２の表示面２２は、複数の液晶板によって構成したもので、判定手段からの指令に応じて通常状態を表示する白色表示、不正行為を表示する赤色表示または動画表示を可能にするものである。
【００４５】
上記構成より成る本第３実施例の遊技機１において、不正行為を試みる遊技者が、何らかの不正行為を現に行い、図示しない検知手段により当該行為が検知されると、当該検知手段の出力情報に基づき前記判定手段が報知手段２に対して報知指令を出力する。かかる報知指令に従って、報知手段２は、複数の前記第２の表示面２２に表示された通常状態時の白色表示から切り替え、不正報知時の赤色表示を行うものである。
【００４６】
上記作用を奏する第３実施例の遊技機は、第１実施例の遊技機と同様、ほとんどの遊技機においてその報知手段２の前記第２の表示面２２に白色表示が行われている中で、不正行為が行われている遊技機の報知手段２の前記第２の表示面２２に表示された赤色表示が浮き彫りとなるとともに、さらに、不正報知を行う前記第２の表示面２２が複数個配設されているため、店内を巡回するホールスタッフが、遠方からでも不正行為が行われている台をさらに容易に把握することが可能となるという効果を奏する。
また、前記報知手段２の前記第２の表示面２２に動画表示することにより、動きを取り入れることによりホールスタッフが一層容易に把握することが可能となる。
【００４７】
また、第３実施例の遊技機は、前記報知手段２が、遊技機表面の左右端部の傾斜部３１に配設され、複数の前記第２の表示面２２が遊技機表面に対して略垂直に形成され、当該略垂直面で不正報知を行うものであるため、遊技機に対して正面に位置する遊技者からはちょうど複数の当該第２の表示面２２が死角となり、不正報知を行う当該第２の表示面２２を直接視認することができず、不正行為者に不正行為を検知した事実を気づかれることなくホールスタッフに当該事実を報知することができ、その結果、不正行為者を店外への逃亡前に確実に取り押さえることができるという効果を奏する。
【００４８】
さらに、第３実施例の遊技機は、上述したように、第２実施例の遊技機とは異なり前記第１の表示面２１も複数個配設されるものであり、当該複数の第１の表示面２１において前記複数の液晶表示面により遊技状態に応じた装飾・演出用の動画表示が行われるものであるため、遊技者に装飾・演出用の動画表示であると印象付けるものであるので、仮に不正報知を行う当該複数の第２の表示面２２が不正行為者に視認されることがあっても、当該第２の表示面２２も装飾・演出用のものであると認識させることができることから、当該第２の表示面２２による不正報知がなされていることが認識されないようにカモフラージュできるという効果を奏するものである。
【００４９】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００５０】
なお、前記報知手段２の第２の表示面２２に表示する態様としては、一例として、通常状態の場合には青色光または白色光を点灯させ、不正行為を検知した場合に赤色光を点灯させる例について説明したが、本発明はこれに限定されるものではなく、必要に応じて、その他の色を用いる場合や、点灯ではなく点滅とする場合や、不正行為を検知した場合のみ光を点灯もしくは点滅させる場合や、また、単純に単色光を点灯させるのみならず、各種の不正行為に対応した色を点灯させる場合、さらには、色のみならず、文字情報を表示する場合、動画表示する場合等その他の態様にも適用可能なものである。
【００５１】
また、前記報知手段２の前記第２の表示面２２の配設方法について、一例として、遊技機表面に対して略垂直となるような例について説明したが、本発明はこれに限定されるものではなく、正面の遊技者から当該第２の表示面２２が死角となるような角度で配設できる位置、方向、範囲その他の態様にも適用可能なものである。
同様に、前記表示手段２０の前記第１の表示面２１の配設方法について、一例として、遊技機表面に対して傾斜した傾斜面となるような例について説明したが、本発明はこれに限定されるものではなく、図１１に示すように、第１の表示面が遊技盤面に対して略平行となるように配設する場合や、正面の遊技者から当該第１の表示面が装飾・演出用の点灯表示であると視認できる範囲（遊技機表面に対する角度等）で配設できるその他の態様にも適用可能なものである。
【００５２】
さらに、遊技機１台に対し、前記報知手段２を遊技機表面の左右端部の傾斜部３１に配設する例について説明したが、本発明はこれらに限定されるものではなく、左右端部の両側に配設する場合や、前記第２の表示面２２が正面の遊技者から死角となり、前記第１の表示面２１が正面の遊技者から視認可能であればその他の位置に配設することも可能であり、報知手段２の数についても、必要に応じて増減可能である。
【００５３】
また、図１０に示すように、遊技機の上面３１１に太陽電池７を配設し、報知手段２等を別系統の電源によって駆動したり、その他の電源を用いる場合や、その他の出力手段を併せて用いる態様にも適用可能なものである。
【産業上の利用可能性】
【００５４】
遊技機において、不正を検知する検知手段と、前記検知手段から出力があると報知指令を出力する判定手段と、報知指令に基づき正面の遊技者からは目視できない位置および報知態様で不正報知する報知手段と、装飾・演出の表示を行う表示手段を備え、前記表示手段が、遊技者から見える第１の表示面によって構成され、前記報知手段が、前記第１の表示面と隣り合わせで形成された前記不正報知指令に基づき不正報知光を放射することにより不正報知が行われる遊技者から見えない第２の表示面によって構成され、複雑な装置、システムを用いることなく不正行為を検出するとともに、前記第１の表示面が装飾・演出表示を行うことにより前記第２の表示面の不正報知を効果的にカモフラージュし、不正行為者に不正行為を検知した事実を気づかれることなくホールスタッフに当該事実を報知し、その結果、不正行為者を店外への逃亡前に確実に取り押さえるという用途に適用できる。
【図面の簡単な説明】
【００５５】
【図１】本発明の第１実施例の遊技機の要部を示す正面図、上面図である。
【図２】本第１実施例の遊技機の全体を示す正面図である。
【図３】本第２実施例の遊技機の要部を示す正面図、上面図、側面図である。
【図４】本第２実施例の報知手段の要部の構成を示す図３中Ｂ−Ｂ線に沿った断面図である。
【図５】本第２実施例の遊技機の全体を示す正面図である。
【図６】本第２実施例の遊技機の全体を示す上面図である。
【図７】本第２実施例の遊技機の全体を示す側面図である。
【図８】本第３実施例の遊技機の要部を示す正面図、上面図および側面図である。
【図９】本発明の不正報知の流れを示すフローチャートである。
【図１０】本発明の変形例である太陽電池を用いた場合の説明図である。
【図１１】本発明の変形例である第１の表示面を遊技盤面に対して略平行に配設した場合の説明図である。
【図１２】従来の第１の遊技機を示す説明図である。
【図１３】従来の第２の遊技機を示す説明図である。
【符号の説明】
【００５６】
１  遊技機
２  報知手段
３  前面枠
４  ガラス窓
２１  第１の表示面
２２  第２の表示面
３０  突出部
【図１】
2010075350.tif 000003
【図２】
2010075350.tif 000004
【図３】
2010075350.tif 000005
【図４】
2010075350.tif 000006
【図５】
2010075350.tif 000007
【図６】
2010075350.tif 000008
【図７】
2010075350.tif 000009
【図８】
2010075350.tif 000010
【図９】
2010075350.tif 000011
【図１０】
2010075350.tif 000012
【図１１】
2010075350.tif 000013
【図１２】
2010075350.tif 000014
【図１３】
2010075350.tif 000015